(57)【要約】【課題】口座に対応づけて登録されている印鑑の画像を利用者が秘匿性高く確認することが可能な、情報処理装置、及びプログラムを提供する。【解決手段】利用者の口座に対応づけて登録されている印鑑の画像を取得する取得部と、表紙画像、見返し画像、および取引明細を示す画像の順に配列されている前記利用者の口座の通帳画像を表示画面に表示させる表示制御部と、を備え、前記表示制御部は、前記利用者により入力される認証情報が認証された場合には、前記印鑑の画像を前記見返し画像に表示させる、情報処理装置。【選択図】図８
2015094963.tif 000002
【特許請求の範囲】
【請求項１】
利用者の口座に対応づけて登録されている印鑑の画像を取得する取得部と、
表紙画像、見返し画像、および取引明細を示す画像の順に配列されている前記利用者の口座の通帳画像を表示画面に表示させる表示制御部と、
を備え、
前記表示制御部は、前記利用者により入力される認証情報が認証された場合には、前記印鑑の画像を前記見返し画像に表示させる、情報処理装置。
【請求項２】
前記表示制御部は、前記取得部により取得された１以上の印鑑の画像を含む印鑑一覧画像を前記表示画面にさらに表示させ、
前記表示制御部は、前記印鑑一覧画像においていずれかの印鑑の画像が前記利用者により選択された場合には、選択された画像に対応する口座の通帳画像を前記表示画面に表示させる、請求項１に記載の情報処理装置。
【請求項３】
前記情報処理装置は、前記表示画面における前記利用者のタッチ操作を認識する操作認識部をさらに備え、
前記表示制御部は、前記印鑑一覧画像においていずれかの印鑑の画像を選択するためのタッチ操作が認識された場合には、認識されたタッチ操作により選択された画像に対応する口座の通帳画像を前記表示画面に表示させる、請求項２に記載の情報処理装置。
【請求項４】
前記印鑑一覧画像には、前記取得部により取得された１以上の印鑑の画像の各々に対応づけられた１以上の口座の各々を示す表示が、前記１以上の印鑑の画像ごとに分類して表示され、
前記情報処理装置は、前記印鑑一覧画像においてなされた前記利用者のタッチ操作の認識結果に基づいて、前記利用者により選択された口座を特定する口座特定部をさらに備え、
前記表示制御部は、前記口座特定部により特定された口座の通帳画像を前記表示画面に表示させる、請求項３に記載の情報処理装置。
【請求項５】
前記口座特定部は、前記印鑑一覧画像に表示されたいずれかの印鑑の画像を移動させるためのタッチ操作が認識された場合には、認識されたタッチ操作の操作方向に対応する口座を前記利用者により選択された口座として特定する、請求項４に記載の情報処理装置。
【請求項６】
前記情報処理装置は、印鑑の画像に対応づけて前記利用者により入力される認証情報を認証する認証部をさらに備え、
前記表示制御部は、前記利用者により入力された認証情報が前記認証部により認証された場合には、取得された印鑑の画像を前記見返し画像に表示させる、請求項１〜５のいずれか一項に記載の情報処理装置。
【請求項７】
前記情報処理装置は、携帯型の装置であり、
前記情報処理装置は、前記表示画面を表示する表示部をさらに備える、請求項１〜６のいずれか一項に記載の情報処理装置。
【請求項８】
利用者の口座に対応づけて登録されている印鑑の画像を取得する取得部と、
前記取得部により取得された１以上の印鑑の画像を含む印鑑一覧画像を表示画面に表示させる表示制御部と、
を備え、
前記表示制御部は、前記印鑑一覧画像においていずれかの印鑑の画像が前記利用者により選択された場合には、選択された画像に対応する口座の通帳画像を前記表示画面に表示させる、情報処理装置。
【請求項９】
コンピュータを、
利用者の口座に対応づけて登録されている印鑑の画像を取得する取得部と、
表紙画像、見返し画像、および取引明細を示す画像の順に配列されている前記利用者の口座の通帳画像を表示画面に表示させる表示制御部、
として機能させるための、プログラムであって、
前記表示制御部は、取得された印鑑の画像に対応づけて前記利用者により入力される認証情報が認証された場合には、前記印鑑の画像を前記見返し画像に表示させる、プログラム。
【請求項１０】
コンピュータを、
利用者の口座に対応づけて登録されている印鑑の画像を取得する取得部と、
前記取得部により取得された１以上の印鑑の画像を含む印鑑一覧画像を表示画面に表示させる表示制御部、
として機能させるための、プログラムであって、
前記表示制御部は、前記印鑑一覧画像においていずれかの印鑑の画像が前記利用者により選択された場合には、選択された画像に対応する口座の通帳画像を前記表示画面に表示させる、プログラム。
【発明の詳細な説明】
【技術分野】
【０００１】
本発明は、情報処理装置、及びプログラムに関する。
【背景技術】
【０００２】
従来、銀行などの金融機関では、口座の開設時において紙の通帳を発行し、利用者に提供している。また、近年では、紙の通帳に記載される取引明細の内容を例えばＰＣ（Personal Computer）などの表示画面において利用者が確認するための技術も提案されている。
【０００３】
例えば、特許文献１には、預金情報を入力する入力装置、預金情報を記憶する記憶装置、および預金情報を表示する表示装置を備える電子預金通帳が記載されている。また、特許文献２には、個人ＰＣからの電子通帳照会時に、記帳明細ＤＢから取得された記帳明細データをブラウザに表示可能な形式に変換する技術が記載されている。
【０００４】
また、金融機関などの窓口において、本人確認をより正確に行うための技術も提案されている。例えば、特許文献３には、ＩＣカードのキーパッドに対して登録者が入力したＰＩＮと、当該キーパッドに対して確認者が入力したＰＩＮとが一致すれば、登録されたサインをディスプレイに表示する技術が記載されている。
【０００５】
また、紙の通帳に押印される印鑑の印影の秘匿性を高めるための技術も提案されている。例えば、特許文献４には、紙の通帳において、届出印鑑の一部分あるいはデフォルメした印影を印刷する技術が記載されている。
【先行技術文献】
【特許文献】
【０００６】
【特許文献１】特開２００２−０１５３５５号公報
【特許文献２】特開２０１３−１０１４１８号公報
【特許文献３】特開平１−０５５２８８号公報
【特許文献４】特開平１１−３０６２５９号公報
【発明の概要】
【発明が解決しようとする課題】
【０００７】
ところで、口座に対応づけて登録されている印鑑の画像を利用者が表示画面で確認したいというニーズがある。このような場面に上記の技術を適用することを考えると、上記の技術は、印鑑の画像の秘匿性を確保できない。例えば、上記の技術では、利用者以外の他の人物に表示装置を奪われるなどして、勝手に使用されることにより、登録されている印鑑の画像を当該他の人物に見られてしまう恐れが大きい。また、特許文献３に記載の技術では、利用者だけでなく、利用者以外の確認者によるＰＩＮの入力が必要であり、利用者が印鑑の画像を一人で確認することができない。
【０００８】
そこで、本発明は、上記問題に鑑みてなされたものであり、本発明の目的とするところは、口座に対応づけて登録されている印鑑の画像を利用者が秘匿性高く確認することが可能な、新規かつ改良された情報処理装置、及びプログラムを提供することにある。
【課題を解決するための手段】
【０００９】
上記課題を解決するために、本発明のある観点によれば、利用者の口座に対応づけて登録されている印鑑の画像を取得する取得部と、表紙画像、見返し画像、および取引明細を示す画像の順に配列されている前記利用者の口座の通帳画像を表示画面に表示させる表示制御部と、を備え、前記表示制御部は、前記利用者により入力される認証情報が認証された場合には、前記印鑑の画像を前記見返し画像に表示させる、情報処理装置が提供される。
【００１０】
前記表示制御部は、前記取得部により取得された１以上の印鑑の画像を含む印鑑一覧画像を前記表示画面にさらに表示させ、前記表示制御部は、前記印鑑一覧画像においていずれかの印鑑の画像が前記利用者により選択された場合には、選択された画像に対応する口座の通帳画像を前記表示画面に表示させてもよい。
【００１１】
前記情報処理装置は、前記表示画面における前記利用者のタッチ操作を認識する操作認識部をさらに備え、前記表示制御部は、前記印鑑一覧画像においていずれかの印鑑の画像を選択するためのタッチ操作が認識された場合には、認識されたタッチ操作により選択された画像に対応する口座の通帳画像を前記表示画面に表示させてもよい。
【００１２】
前記印鑑一覧画像には、前記取得部により取得された１以上の印鑑の画像の各々に対応づけられた１以上の口座の各々を示す表示が、前記１以上の印鑑の画像ごとに分類して表示され、前記情報処理装置は、前記印鑑一覧画像においてなされた前記利用者のタッチ操作の認識結果に基づいて、前記利用者により選択された口座を特定する口座特定部をさらに備え、前記表示制御部は、前記口座特定部により特定された口座の通帳画像を前記表示画面に表示させてもよい。
【００１３】
前記口座特定部は、前記印鑑一覧画像に表示されたいずれかの印鑑の画像を移動させるためのタッチ操作が認識された場合には、認識されたタッチ操作の操作方向に対応する口座を前記利用者により選択された口座として特定してもよい。
【００１４】
前記情報処理装置は、印鑑の画像に対応づけて前記利用者により入力される認証情報を認証する認証部をさらに備え、前記表示制御部は、前記利用者により入力された認証情報が前記認証部により認証された場合には、取得された印鑑の画像を前記見返し画像に表示させてもよい。
【００１５】
前記情報処理装置は、携帯型の装置であり、前記情報処理装置は、前記表示画面を表示する表示部をさらに備えてもよい。
【００１６】
また、上記課題を解決するために、本発明の別の観点によれば、利用者の口座に対応づけて登録されている印鑑の画像を取得する取得部と、前記取得部により取得された１以上の印鑑の画像を含む印鑑一覧画像を表示画面に表示させる表示制御部と、を備え、前記表示制御部は、前記印鑑一覧画像においていずれかの印鑑の画像が前記利用者により選択された場合には、選択された画像に対応する口座の通帳画像を前記表示画面に表示させる、情報処理装置が提供される。
【００１７】
また、上記課題を解決するために、本発明の別の観点によれば、コンピュータを、利用者の口座に対応づけて登録されている印鑑の画像を取得する取得部と、表紙画像、見返し画像、および取引明細を示す画像の順に配列されている前記利用者の口座の通帳画像を表示画面に表示させる表示制御部、として機能させるための、プログラムであって、前記表示制御部は、取得された印鑑の画像に対応づけて前記利用者により入力される認証情報が認証された場合には、前記印鑑の画像を前記見返し画像に表示させる、プログラムが提供される。
【００１８】
また、上記課題を解決するために、本発明の別の観点によれば、コンピュータを、利用者の口座に対応づけて登録されている印鑑の画像を取得する取得部と、前記取得部により取得された１以上の印鑑の画像を含む印鑑一覧画像を表示画面に表示させる表示制御部、として機能させるための、プログラムであって、前記表示制御部は、前記印鑑一覧画像においていずれかの印鑑の画像が前記利用者により選択された場合には、選択された画像に対応する口座の通帳画像を前記表示画面に表示させる、プログラムが提供される。
【発明の効果】
【００１９】
以上説明したように本発明によれば、口座に対応づけて登録されている印鑑の画像を利用者が秘匿性高く確認することができる。
【図面の簡単な説明】
【００２０】
【図１】本発明の実施形態による情報処理システムの構成例を示した説明図である。
【図２】同実施形態による情報処理装置１０のハードウェア構成を示した説明図である。
【図３】同実施形態による情報処理装置１０の構成を示した機能ブロック図である。
【図４】同実施形態による表紙画像の表示例を示した説明図である。
【図５】同実施形態による見返し画像の表示例を示した説明図である。
【図６】同実施形態による取引明細画像の表示例を示した説明図である。
【図７】同実施形態による副印鑑確認用認証情報入力画像の表示例を示した説明図である。
【図８】同実施形態による見返し画像の別の表示例を示した説明図である。
【図９】同実施形態による副印鑑画像の表示例を示した説明図である。
【図１０】同実施形態による副印鑑一覧画像の表示例を示した説明図である。
【図１１】同実施形態による副印鑑一覧画像の別の表示例を示した説明図である。
【図１２】同実施形態による副印鑑一覧画像の別の表示例を示した説明図である。
【図１３】同実施形態による認証ＤＢ１２６の構成例を示した説明図である。
【図１４】同実施形態による動作の一部を示したシーケンス図である。
【図１５】同実施形態による動作の一部を示したシーケンス図である。
【図１６】同実施形態による動作の一部を示したシーケンス図である。
【発明を実施するための形態】
【００２１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２２】
また、本明細書及び図面において、実質的に同一の機能構成を有する複数の構成要素を、同一の符号の後に異なるアルファベットを付して区別する場合もある。例えば、実質的に同一の機能構成を有する複数の構成を、必要に応じて見返し画像４２ａおよび見返し画像４２ｂのように区別する。ただし、実質的に同一の機能構成を有する複数の構成要素の各々を特に区別する必要がない場合、同一符号のみを付する。例えば、見返し画像４２ａおよび見返し画像４２ｂを特に区別する必要が無い場合には、単に見返し画像４２と称する。
【００２３】
また、以下に示す項目順序に従って当該「発明を実施するための形態」を説明する。
１．背景
２．情報処理システムの基本構成
３．実施形態の詳細な説明
４．変形例
【００２４】
＜＜１．背景＞＞
従来、銀行などの金融機関では、口座の開設時において紙の通帳を発行し、利用者に提供している。利用者は、例えば金融機関に設置されたＡＴＭ（Automated Teller Machine）において記帳を行うことにより、取引の明細を通帳に印字させることができる。
【００２５】
また、従来、金融機関では、通帳の見返し（裏表紙）に副印鑑、つまり通帳開設時に登録した印鑑の印影を添付していた。このため、利用者は、例えば支払や口座の解約時などにおいて、口座に対応づけて登録されている印鑑を確認することができた。
【００２６】
しかしながら、紙の通帳に副印鑑を添付すると、悪意ある他の人物により通帳を盗まれたり、覗き見されることにより、登録されている印鑑情報が他者に知られてしまうという課題があった。印鑑情報が他者に知られてしまうと、他者により、該当口座から引出しや、該当口座の解約が不正に行われる恐れがある。
【００２７】
他者への印鑑情報の漏えいを防止するために、通帳の見返しに副印鑑を添付しない方法も考えられる。しかしながら、この方法では、通帳の保有者本人にも登録印鑑情報が秘匿されるので、仮に通帳の保有者本人が登録印鑑情報を失念した場合には、本人が引出や口座解約ができなかったり、または金融機関における確認作業に時間がかかるという課題が生じる。
【００２８】
そこで、上記事情を一着眼点にして本発明の実施形態による情報処理装置１０を創作するに至った。本実施形態による情報処理装置１０は、口座に対応づけて登録されている副印鑑の画像を利用者が秘匿性高く確認することが可能である。
【００２９】
＜＜２．情報処理システムの基本構成＞＞
本発明は、一例として「３．実施形態の詳細な説明」において詳細に説明するように、多様な形態で実施され得る。以下では、まず、本実施形態による情報処理システムの基本構成について図１を参照して説明する。
【００３０】
図１に示したように、本実施形態による情報処理システムは、情報処理装置１０、通信網１２、専用網１４、ＩＢサーバー２０、印鑑サーバー２２、ホストコンピュータ２６、および中継サーバー３０を含む。
【００３１】
＜２−１．情報処理装置１０＞
情報処理装置１０は、例えば無線通信により、通信網１２に接続可能な装置である。この情報処理装置１０は、例えば、スマートフォンなどの携帯電話、タブレット端末、ＰＤＡ（Personal
Digital Assistant）、ＰＣなどであってもよい。
【００３２】
また、情報処理装置１０は、例えば図２に示すようなハードウェア構成を有する。図２に示したように、情報処理装置１０は、ＣＰＵ（Central Processing Unit）１５０、ＲＯＭ（Read Only
Memory）１５２、ＲＡＭ（Random Access Memory）１５４、内部バス１５６、入出力インターフェース１５８、入力装置１６０、出力装置１６２、ＨＤＤ（Hard Disk Drive）１６４、およびネットワークインターフェース１６６を備える。
【００３３】
［２−１−１．ＣＰＵ１５０］
ＣＰＵ１５０は、演算処理装置および制御装置として機能し、各種プログラムに従って情報処理装置１０内の動作全般を制御する。また、ＣＰＵ１５０は、情報処理装置１０において後述する制御部１００の機能を実現する。なお、ＣＰＵ１５０は、マイクロプロセッサなどのプロセッサにより構成される。
【００３４】
［２−１−２．ＲＯＭ１５２］
ＲＯＭ１５２は、ＣＰＵ１５０が使用するプログラムや演算パラメータ等を記憶する。
【００３５】
［２−１−３．ＲＡＭ１５４］
ＲＡＭ１５４は、ＣＰＵ１５０の実行において使用するプログラムや、その実行において適宜変化するパラメータ等を一時記憶する。
【００３６】
［２−１−４．内部バス１５６］
内部バス１５６は、ＣＰＵバスなどから構成される。この内部バス１５６は、ＣＰＵ１５０、ＲＯＭ１５２、およびＲＡＭ１５４を相互に接続する。
【００３７】
［２−１−５．入出力インターフェース１５８］
入出力インターフェース１５８は、入力装置１６０、出力装置１６２、ＨＤＤ１６４、およびネットワークインターフェース１６６を、内部バス１５６と接続する。例えばＨＤＤ１６４は、この入出力インターフェース１５８および内部バス１５６を介して、ＲＡＭ１５４などとの間でデータをやり取りする。
【００３８】
［２−１−６．入力装置１６０］
入力装置１６０は、例えばタッチパネル、ボタン、マイクロフォン、およびスイッチなどユーザが情報を入力するための入力手段と、ユーザによる入力に基づいて入力信号を生成し、ＣＰＵ１５０に出力する入力制御回路などから構成されている。利用者は、入力装置１６０を操作することにより、情報処理装置１０に対して各種のデータを入力したり、処理内容を指示したりすることができる。
【００３９】
［２−１−７．出力装置１６２］
出力装置１６２は、例えば、液晶ディスプレイ（ＬＣＤ:Liquid Crystal Display）装置、ＯＬＥＤ（Organic
Light Emitting Diode）装置およびランプなどの表示装置を含む。さらに、出力装置１６２は、スピーカーなどの音声出力装置を含むことも可能である。
【００４０】
［２−１−８．ＨＤＤ１６４］
ＨＤＤ１６４は、後述する記憶部１２４として機能する、データ格納用の装置である。このＨＤＤ１６４は、例えば、記憶媒体、記憶媒体にデータを記録する記録装置、記憶媒体からデータを読み出す読出し装置、および記憶媒体に記録されたデータを削除する削除装置などを含む。また、ＨＤＤ１６４は、ＣＰＵ１５０が実行するプログラムや各種データを格納する。
【００４１】
［２−１−９．ネットワークインターフェース１６６］
ネットワークインターフェース１６６は、例えば通信網１２に接続するための通信デバイス等で構成された通信インターフェースである。このネットワークインターフェース１６６は、後述する通信部１２０として機能する。また、ネットワークインターフェース１６６は、無線ＬＡＮ（Local Area Network）対応通信装置、ＬＴＥ（Long Term Evolution）対応通信装置、または有線による通信を行うワイヤー通信装置であってもよい。
【００４２】
＜２−２．通信網１２＞
通信網１２は、通信網１２に接続されている装置から送信される情報の無線、または有線の伝送路である。例えば、通信網１２は、インターネット、電話回線網、衛星通信網などの公衆回線網や、Ｅｔｈｅｒｎｅｔ（登録商標）を含む各種のＬＡＮ（Local Area Network）、ＷＡＮ（Wide Area Network）などを含んでもよい。また、通信網１２は、ＩＰ−ＶＰＮ（Internet Protocol-Virtual Private Network）などの専用回線網を含んでもよい。
【００４３】
＜２−３．専用網１４＞
専用網１４は、金融機関のネットワークであり、例えばＩＰ−ＶＰＮにより構成される。
【００４４】
＜２−４．ＩＢサーバー２０＞
ＩＢサーバー２０は、インターネットバンキングシステムを管理する装置である。ＩＢサーバー２０は、例えば利用者の口座番号ごとに、ログイン用パスワード、および取引内容の明細データを記憶している。
【００４５】
＜２−５．印鑑サーバー２２＞
印鑑サーバー２２は、例えば印鑑ＤＢ２４に対するデータの登録や、印鑑ＤＢ２４からのデータの抽出など、印鑑ＤＢ２４を管理する装置である。印鑑ＤＢ２４は、例えば利用者の口座番号と、口座番号に対応づけて登録された副印鑑の画像データと、が対応づけて記録されたデータベースである。なお、印鑑サーバー２２と、印鑑ＤＢ２４とは別々の装置として構成されてもよいし、印鑑サーバー２２が印鑑ＤＢ２４を内部に含んでもよい。
【００４６】
＜２−６．ホストコンピュータ２６＞
ホストコンピュータ２６は、預金管理や、口座管理等を行う装置である。例えば、ホストコンピュータ２６は、インターネットバンキングシステムにおいて利用者により指示された入金や振込などの金銭取引（勘定の取引処理）を実行する。また、ホストコンピュータ２６は、口座番号、暗証番号、氏名、住所、年齢、生年月日、電話番号、職業、家族構成、年収、預金残高などの顧客情報（口座の元帳）を管理する。
【００４７】
また、ホストコンピュータ２６は、例えば取引履歴ＤＢ２８に対するデータの登録や、取引履歴ＤＢ２８からのデータの抽出など、取引履歴ＤＢ２８を管理する。取引履歴ＤＢ２８は、例えば取引日、口座番号、取引種別、取引金額などが対応づけて記録されたデータベースである。なお、ホストコンピュータ２６と、取引履歴ＤＢ２８とは別々の装置として構成されてもよいし、ホストコンピュータ２６が取引履歴ＤＢ２８を内部に含んでもよい。
【００４８】
＜２−７．中継サーバー３０＞
中継サーバー３０は、通信網１２と専用網１４とを接続する装置である。例えば、中継サーバー３０は、通信網１２から専用網１４へ送信されるデータに関して、金融機関のシステム（銀行システム２）において処理可能な形式にデータを加工する。
【００４９】
＜＜３．実施形態の詳細な説明＞＞
＜３−１．構成＞
以上、本実施形態による情報処理システムの基本構成について説明した。続いて、本実施形態による構成について詳細に説明する。
【００５０】
図３は、本実施形態による情報処理装置１０の構成を示した機能ブロック図である。図３に示したように、情報処理装置１０は、制御部１００、通信部１２０、操作表示部１２２、および記憶部１２４を有する。
【００５１】
［３−１−１．制御部１００］
制御部１００は、情報処理装置１０に内蔵されるＣＰＵ１５０、ＲＡＭ１５４などのハードウェアを用いて、情報処理装置１０の動作を全般的に制御する。また、図３に示したように、制御部１００は、表示制御部１０２、操作認識部１０４、口座特定部１０６、および認証部１０８を有する。
【００５２】
［３−１−２．表示制御部１０２］
（３−１−２−１．表示例１（通帳画像の表示））
表示制御部１０２は、第１の機能として、利用者の口座の通帳画像を後述する操作表示部１２２に表示させることが可能である。なお、口座の通帳画像は、表紙画像、見返し画像、および取引明細画像の順に配列された画像である。また、口座の通帳画像は、紙の通帳に記載される内容とほぼ同じ内容を表示する画像である。
【００５３】
例えば、表示制御部１０２は、予め利用者により情報処理装置１０にダウンロードされている通帳アプリの起動時において、通帳アプリの指示に従って、利用者の口座の通帳画像を操作表示部１２２に表示させる。
【００５４】
‐表紙画像‐
ここで、図４〜図６を参照して、表示制御部１０２による口座の通帳画像の表示例について説明する。図４は、表紙画像の表示例（表紙画像４０）を示した説明図である。なお、表紙画像は、紙の通帳における表紙に対応する画像であり、口座の通帳画像において１ページ目に表示される。
【００５５】
図４に示したように、表紙画像４０は、例えば表紙表示欄４００、およびメニューボタン４０２を含む。ここで、表紙表示欄４００には、例えば、金融機関名、店番、口座番号、および利用者の氏名などが表示される。また、図４に示したように、表示画面に表示された表紙表示欄４００に対して例えばフリックなどの利用者のタッチ操作が後述する操作認識部１０４により認識されると、表示制御部１０２は、表紙画像４０から見返し画像４２に切り替えて操作表示部１２２に表示させる。また、メニューボタン４０２は、例えば利用者が表紙画像４０の代わりに、後述する取引明細画像４４を表示させるなどの各種機能を利用者が選択するためのボタンである。
【００５６】
‐見返し画像‐
また、図５は、見返し画像の表示例（見返し画像４２）を示した説明図である。なお、見返し画像は、紙の通帳における見返し（裏表紙）に対応する画像であり、口座の通帳画像において２ページ目に表示される。
【００５７】
図５に示したように、見返し画像４２は、例えば口座内容表示欄４２０、副印鑑表示ボタン４２２、およびメニューボタン４２４を含む。ここで、口座内容表示欄４２０には、例えば、金融機関名、店番、口座番号、および利用者の氏名などが表示される。また、副印鑑表示ボタン４２２は、当該口座に対応づけて登録されている副印鑑の画像を表示させるためのボタンである。なお、詳細について後述するが、この副印鑑表示ボタン４２２が利用者により選択されると、表示制御部１０２は、図８に示したような副印鑑画像表示欄４２５を見返し画像４２中に表示する。また、メニューボタン４２４は、図４に示したメニューボタン４０２と同様の機能を有する。
【００５８】
‐取引明細画像‐
また、図６は、取引明細画像の表示例（取引明細画像４４）を示した説明図である。なお、取引明細画像は、紙の通帳における取引明細ページに対応する画像であり、口座の通帳画像において３ページ目以降に表示される。
【００５９】
図６に示したように、取引明細画像４４は、例えば、取引明細表示欄４４０、期間指定ボタン４４２、ダウンロードボタン４４４、メニューボタン４４６、および終了ボタン４４８を含む。ここで、取引明細表示欄４４０には、例えば取引日、摘要欄、取引金額、口座残高、および備考欄などが表示される。また、期間指定ボタン４４２は、いずれの期間の取引明細を表示させるかを利用者が指定するためのボタンである。また、ダウンロードボタン４４４は、取引明細表示欄４４０に表示された取引明細をダウンロードし、後述する記憶部１２４に記憶させるためのボタンである。また、メニューボタン４４６は、図４に示したメニューボタン４０２と同様の機能を有する。また、終了ボタン４４８は、取引明細画像４４の表示を終了させるためのボタンである。
【００６０】
（３−１−２−２．表示例２（見返し画像における副印鑑の表示））
また、第２の機能として、表示制御部１０２は、利用者により入力される認証情報が例えば後述する認証部１０８により認証された場合には、口座に対応づけて登録されている副印鑑の画像を見返し画像に表示させることが可能である。なお、認証情報は、例えば、暗証番号、表示画面に表示された複数のボタンを指でなぞるパターン、または指紋情報などである。本明細書では、以後、認証情報が暗証番号である例を中心として説明を行う。
【００６１】
ここで、図７〜図９を参照して、上記の機能についてより詳細に説明する。図７は、副印鑑の画像に対応づけて登録されている認証情報を利用者が入力するための副印鑑確認用認証情報入力画像の表示例（副印鑑確認用認証情報入力画像４６）を示した説明図である。図７に示したように、副印鑑確認用認証情報入力画像４６は、例えば、利用者が認証情報を入力するための、認証情報入力欄４６０を含む。
【００６２】
例えば、図５に示した見返し画像４２において副印鑑表示ボタン４２２が利用者により選択された場合には、まず、表示制御部１０２は、図７に示した副印鑑確認用認証情報入力画像４６を操作表示部１２２に表示させる。そして、副印鑑確認用認証情報入力画像４６において利用者により認証情報が入力され、かつ、入力された認証情報が認証部１０８により認証された場合には、表示制御部１０２は、図８に示したように、口座に対応づけて登録されている副印鑑の画像を見返し画像４２において表示させる。
【００６３】
図８は、副印鑑の画像が表示された後の見返し画像４２の表示例（見返し画像４２ｂ）を示した説明図である。図８に示したように、見返し画像４２ｂは、図５に示した見返し画像４２ａと比べて、例えば、副印鑑表示ボタン４２２を含まない代わりに、新たに、副印鑑画像表示欄４２５、二分の一表示ボタン４２６、四分の一表示ボタン４２７、点滅表示ボタン４２８、回転表示ボタン４２９、全体表示ボタン４３０、拡大縮小ボタン４３１、および副印鑑終了ボタン４３２を含む。ここで、副印鑑画像表示欄４２５には、口座に対応づけて登録されている副印鑑の画像が表示される。
【００６４】
二分の一表示ボタン４２６は、副印鑑画像表示欄４２５において、副印鑑の画像のうち半分だけを表示させるためのボタンである。例えば、二分の一表示ボタン４２６が利用者により選択されると、図９の左図に示したように、表示制御部１０２は、副印鑑の画像の左半分だけを副印鑑画像表示欄４２５に表示させる。また、四分の一表示ボタン４２７は、副印鑑画像表示欄４２５において、副印鑑の画像のうち四分の一だけを表示させるためのボタンである。例えば、四分の一表示ボタン４２７が利用者により選択されると、図９の中図に示したように、表示制御部１０２は、副印鑑の画像のうち左上の四分の一だけを副印鑑画像表示欄４２５に表示させる。また、点滅表示ボタン４２８は、副印鑑画像表示欄４２５において、副印鑑の画像を例えば所定の周期ごとに点滅させて表示させるためのボタンである。
【００６５】
これらのボタンの効果として、例えば半透明な紙に対して利用者が実際に押印をし、そして、押印された紙を操作表示部１２２の上に配置することにより、利用者は、現在手に持っている印鑑が、口座に対応づけて登録された副印鑑と同一であるかを容易に確認することができるという利点がある。
【００６６】
また、回転表示ボタン４２９は、副印鑑画像表示欄４２５において、副印鑑の画像を所定の角度だけ回転させて表示させるためのボタンである。例えば、回転表示ボタン４２９が利用者により選択されると、図９の右図に示したように、表示制御部１０２は、副印鑑の画像を９０°回転させて副印鑑画像表示欄４２５に表示させる。この回転表示ボタン４２９の効果として、例えば申込用紙などに対して利用者により方向がずれて押印がなされた場合において、当該用紙に対する押印に用いられた印鑑を利用者が確認しやすいという利点がある。この理由は、回転表示ボタン４２９を選択することにより、実際に押印された方向に近くなるように副印鑑の画像の表示方向を回転させることができるためである。
【００６７】
また、全体表示ボタン４３０は、副印鑑画像表示欄４２５において、副印鑑の画像の全体を表示させるためのボタンである。この全体表示ボタン４３０は、例えば、一度利用者により二分の一表示ボタン４２６が選択された後において、利用者が再び副印鑑の画像の全体を確認したい場合などに使用される。
【００６８】
また、拡大縮小ボタン４３１は、副印鑑画像表示欄４２５において、副印鑑の画像を拡大表示したり、縮小表示するためのボタンである。また、副印鑑終了ボタン４３２は、副印鑑の画像の表示を終了させるためのボタンである。この副印鑑終了ボタン４３２が利用者により選択されると、表示制御部１０２は、例えば図５に示したような、副印鑑の画像が表示されていない状態の見返し画像４２を操作表示部１２２に表示させる。
【００６９】
（３−１−２−３．表示例３（副印鑑一覧画像の表示））
また、第３の機能として、表示制御部１０２は、後述する通信部１２０により取得された１以上の印鑑の画像を含む副印鑑一覧画像を操作表示部１２２に表示させることが可能である。なお、副印鑑一覧画像は、本発明における印鑑一覧画像の一例である。
【００７０】
例えば、表示制御部１０２は、利用者が有する全ての口座に対応づけて登録されている全ての副印鑑の画像を確認するための認証情報が利用者により入力され、かつ、後述する認証部１０８により認証された場合には、副印鑑一覧画像を操作表示部１２２に表示させる。
【００７１】
ここで、図１０を参照して、副印鑑一覧画像の表示例（副印鑑一覧画像５０）について説明する。図１０に示したように、副印鑑一覧画像５０は、例えば、副印鑑画像表示欄５００、およびメニューボタン５０２を含む。例えば、図１０に示した例では、口座番号「１００１００１」の副印鑑の画像を副印鑑画像表示欄５００ａに、口座番号「２００２００２」の副印鑑の画像を副印鑑画像表示欄５００ｂに、口座番号「３００３００３」の副印鑑の画像を副印鑑画像表示欄５００ｃにそれぞれ表示させるように、表示制御部１０２は、取得された副印鑑の画像ごとに、別々の副印鑑画像表示欄５００に副印鑑の画像を表示させる。
【００７２】
この表示例によれば、例えば利用者の手元にある印鑑がいずれの口座に対応づけて登録されているかを利用者が失念してしまった場合に、利用者は、副印鑑一覧画像を確認することにより、手元の印鑑に対応する口座を容易かつ即時に知ることができる。
【００７３】
（３−１−２−４．表示例４（副印鑑の画像の選択１））
また、第４の機能として、表示制御部１０２は、副印鑑一覧画像においていずれかの副印鑑の画像が利用者により選択された場合には、選択された副印鑑の画像に対応する口座の通帳画像を操作表示部１２２に表示させることが可能である。例えば、副印鑑一覧画像においていずれかの副印鑑の画像を選択するためのタッチ操作が操作認識部１０４により認識された場合には、表示制御部１０２は、認識されたタッチ操作により選択された副印鑑の画像に対応する口座の通帳画像を操作表示部１２２に表示させる。
【００７４】
ここで、図１０を参照して、上記の機能についてより詳細に説明する。図１０に示したように、副印鑑一覧画像５０において、例えば、副印鑑画像表示欄５００ａに表示された副印鑑の画像を上から下へ指で引っ張るタッチ操作が操作認識部１０４により認識された場合には、表示制御部１０２は、副印鑑画像表示欄５００ａに表示された副印鑑の画像に対応する口座の通帳画像に含まれる表紙画像を操作表示部１２２に表示させる。あるいはは、この場合には、表示制御部１０２は、（表紙画像および見返し画像の表示を省略して）直ぐに取引明細画像を操作表示部１２２に表示させてもよい。
【００７５】
この表示例によれば、利用者は、副印鑑一覧画像５０に表示された複数の口座に対応する副印鑑画像表示欄５００の中から、利用者が取引明細の閲覧を希望する口座を直感的な操作により容易に選択することができるという効果がある。
【００７６】
（３−１−２−５．表示例５（副印鑑の画像の選択２））
また、第５の機能として、表示制御部１０２は、副印鑑一覧画像において、通信部１２０により取得された１以上の副印鑑の画像の各々に対応づけられた１以上の口座の各々を示す表示を、副印鑑の画像ごとに分類して表示することが可能である。
【００７７】
ここで、図１１を参照して、上記の機能についてより詳細に説明する。図１１は、口座番号「１００１００１」に対応づけて登録された副印鑑と、口座番号「２００２００２」に対応づけて登録された副印鑑と、が同一の場合における、表示制御部１０２による副印鑑一覧画像の表示例（副印鑑一覧画像５０ｂ）を示した説明図である。図１１に示したように、例えば、表示制御部１０２は、副印鑑画像表示欄５００ａの中に、口座「１００１００１」を示す文字列と、口座「２００２００２」を示す文字列と、を並べて表示させる。
【００７８】
（３−１−２−６．変形例）
なお、上記の説明では、表示制御部１０２は、まず、副印鑑確認用認証情報入力画像を表示させ、そして、副印鑑確認用認証情報入力画像において、利用者の口座に対応づけて登録されている全ての副印鑑の画像を確認するための認証情報が入力された（かつ、認証された）場合に、副印鑑一覧画像を表示させる例について説明したが、かかる例に限定されない。例えば、表示制御部１０２は、副印鑑確認用認証情報入力画像を表示させる処理を行わずに、副印鑑の画像ごとに、副印鑑の画像を確認するための認証情報を利用者に入力させるような、第２の副印鑑一覧画像を表示させることも可能である。
【００７９】
図１２は、第２の副印鑑一覧画像（副印鑑一覧画像５０ｃ）の表示例を示した説明図である。図１２に示したように、副印鑑一覧画像５０ｃでは、例えば、副印鑑画像表示欄５００は、認証情報入力ボタン５０４を内部に含む。この認証情報入力ボタン５０４が利用者により選択されると、表示制御部１０２は、副印鑑確認用認証情報入力画像（例えば図７に示した副印鑑確認用認証情報入力画像４６）を表示させ、そして、選択された副印鑑画像表示欄５００に対応する副印鑑の画像の認証情報を利用者に入力させる。
【００８０】
この変形例では、副印鑑の画像を利用者が確認するためには、副印鑑の画像ごとに、別々に認証情報を利用者に入力させる。このため、例えば一つの認証情報を入力するだけで、利用者の全ての副印鑑の画像が表示させる場合と比較して、副印鑑の表示時における秘匿性が向上する。
【００８１】
また、この変形例では、一度に全ての副印鑑の画像を表示させることがないので、仮に他者に情報処理装置１０が奪われたり、表示画面を覗き見された場合であっても、他者に漏えいする副印鑑の画像の数を抑制することができる。
【００８２】
［３−１−３．操作認識部１０４］
操作認識部１０４は、操作表示部１２２に表示された表示画面における利用者のタッチ操作を認識する。例えば、図４に示した表紙画像４０が表示されている表示画面において利用者によりフリック操作がなされた場合には、操作認識部１０４は、当該フリック操作を、表紙画像４０から見返し画像４２に画像を切り替えるための利用者の操作として認識する。
【００８３】
［３−１−４．口座特定部１０６］
口座特定部１０６は、操作認識部１０４による、副印鑑一覧画像においてなされた利用者のタッチ操作の認識結果に基づいて、利用者により選択された口座を特定することが可能である。例えば、口座特定部１０６は、副印鑑一覧画像に表示されたいずれかの印鑑の画像を移動させるためのタッチ操作が操作認識部１０４により認識された場合には、認識されたタッチ操作の操作方向に対応する口座を利用者により選択された口座として特定する。
【００８４】
ここで、図１１を参照して、上記の機能についてより詳細に説明する。図１１に示したように、副印鑑一覧画像５０ｂにおいて、例えば、副印鑑画像表示欄５００ａに表示された副印鑑の画像を左下の方向へ指で引っ張るタッチ操作が操作認識部１０４により認識された場合には、口座特定部１０６は、利用者により選択された口座として「普通口座：１００１００１」を特定する。また、副印鑑画像表示欄５００ａに表示された副印鑑の画像を右下の方向へ指で引っ張るタッチ操作が操作認識部１０４により認識された場合には、口座特定部１０６は、利用者により選択された口座として「定期口座：２００２００２」を特定する。
【００８５】
この特定例によれば、一つの副印鑑の画像に対応づけて複数の口座が登録されている場合において、利用者はタッチ操作の方向によって、取引明細の閲覧を希望する口座を容易かつ直感的に選択することができるという効果がある。
【００８６】
なお、図１１における副印鑑画像表示欄５００ａでは、「普通口座：１００１００１」という文字列が、「定期口座：２００２００２」という文字列よりも上に表示されている。このため、別の特定方法として、副印鑑画像表示欄５００ａにおいて副印鑑の画像を上の方向へ指で引っ張るタッチ操作が操作認識部１０４により認識された場合には、口座特定部１０６は、利用者により選択された口座として「普通口座：１００１００１」を特定し、また、副印鑑の画像を下の方向へ指で引っ張るタッチ操作が操作認識部１０４により認識された場合には、口座特定部１０６は、利用者により選択された口座として「定期口座：２００２００２」を特定してもよい。
【００８７】
この特定例では、副印鑑画像表示欄５００における各口座を示す文字列の表示位置の関係と、口座を指定するための利用者のタッチ操作の方向が同じになる。このため、口座を指定するための操作の仕方が、利用者にとってより理解しやすいという利点がある。
【００８８】
なお、口座特定部１０６により口座が特定された場合には、表示制御部１０２は、例えば図４に示したような、特定された口座の通帳画像を操作表示部１２２に表示させることが可能である。
【００８９】
［３−１−５．認証部１０８］
認証部１０８は、例えば記憶部１２４に記憶される認証ＤＢ１２６の登録内容に基づいて、副印鑑の画像を確認するために利用者により入力される認証情報を認証することが可能である。
【００９０】
‐認証ＤＢ１２６‐
ここで、図１３を参照して、認証ＤＢ１２６の構成例について説明する。図１３に示したように、認証ＤＢ１２６には、例えば、口座番号１２６０、口座種類１２６２、および認証情報１２６４が対応づけて記録される。ここで、認証情報１２６４は、口座番号１２６０に対応づけて登録された副印鑑の画像を利用者が確認するための認証情報であり、例えば利用者により予め登録された情報である。
【００９１】
例えば、図１３の１レコード目のデータは、口座番号が「１００１００１」であり、口座種類が「普通口座」であり、口座番号に対応づけて登録された副印鑑の画像を利用者が確認するための認証情報が「１１ａａ」であることを示している。また、図１３の４レコード目のデータは、利用者が有する全ての口座に対応づけて登録されている全ての副印鑑の画像を確認するための認証情報が「９９ｚｚ」であることを示している。
【００９２】
‐変形例‐
また、変形例として、認証部１０８は、上記の通帳アプリの起動時において、例えば記憶部１２４に予め記憶されている、通帳アプリ起動用の認証情報に基づいて、利用者により入力される認証情報を認証することも可能である。なお、この通帳アプリ起動用の認証情報は、基本的には、上述した副印鑑を確認するための認証情報とは異なる情報であり、また、予め例えば利用者により設定される。
【００９３】
［３−１−６．通信部１２０］
通信部１２０は、本発明における取得部の一例である。通信部１２０は、通信網１２を介して通信網１２に接続された各種の装置との間で情報を送受信する。例えば、通信部１２０は、制御部１００の指示に従って、利用者の口座に対応づけて登録されている副印鑑の画像の取得要求を印鑑サーバー２２へ送信する。また、通信部１２０は、副印鑑の画像を印鑑サーバー２２から受信する。
【００９４】
［３−１−７．操作表示部１２２］
操作表示部１２２は、本発明における表示部の一例である。操作表示部１２２は、表示制御部１０２の制御に従って、例えば口座の通帳画像など、各種の表示画像を表示画面に表示する。
【００９５】
また、操作表示部１２２は、利用者による情報処理装置１０に対する各種の入力操作を受け付ける。例えば、操作表示部１２２は、表示画面に表示された副印鑑確認用認証情報入力画像４６に対して認証情報を入力する操作を受け付ける。
【００９６】
［３−１−８．記憶部１２４］
記憶部１２４は、各種ソフトウェアや、様々なデータなどを記憶する。例えば、記憶部１２４は、認証ＤＢ１２６を記憶する。
【００９７】
なお、本実施形態による情報処理装置１０の構成は、上述した構成に限定されない。例えば、認証ＤＢ１２６は、情報処理装置１０に含まれる代わりに、情報処理装置１０が通信可能な他の装置に備えられてもよい。
【００９８】
＜３−２．動作＞
以上、本実施形態による構成について説明した。続いて、本実施形態による動作について説明する。ここでは、「動作例１」および「動作例２」の２つの動作例について説明する。なお、「動作例１」、「動作例２」ともに、利用者が通帳アプリを起動して、口座の通帳画像を確認する場面における動作の例である。
【００９９】
［３−２−１．動作例１（「明細の閲覧」選択時の動作）］
最初に、動作例１について説明する。詳細については後述するが、動作例１は、利用者の特定の口座の見返し画像において、当該口座に対応づけて登録された副印鑑の画像を利用者が確認する場面における動作の例である。
【０１００】
図１４は、動作例１による動作の一部を示したシーケンス図である。図１４に示したように、まず、情報処理装置１０の制御部１００は、操作表示部１２２に対する利用者の操作により、通帳アプリを起動する（Ｓ１０１）。続いて、表示制御部１０２は、通帳アプリ起動用の認証情報を入力するための認証情報入力画像を操作表示部１２２に表示させ、利用者に認証情報を入力させる。そして、認証部１０８は、入力された通帳アプリ起動用の認証情報を認証する（Ｓ１０２）。
【０１０１】
通帳アプリ起動用の認証情報が認証された場合には、表示制御部１０２は、利用者が機能を選択するためのメニュー画像（図示省略）を操作表示部１２２に表示させる（Ｓ１０３）。このメニュー画像は、例えば、利用者が特定の口座の取引明細を閲覧するための「明細の閲覧ボタン」、および、利用者の全ての口座に対応づけて登録されている副印鑑の画像を確認するための「副印鑑の確認ボタン」を含む。
【０１０２】
動作例１では、このメニュー画像において利用者は「明細の閲覧ボタン」を選択する（Ｓ１０４：明細の閲覧）。
【０１０３】
その後、表示制御部１０２は、利用者が取引明細の閲覧が可能な口座の一覧を含む画像（図示省略）を操作表示部１２２に表示させる。そして、利用者は、当該画像において、取引明細の閲覧を希望する口座を選択する（Ｓ１０５）。
【０１０４】
続いて、制御部１００は、Ｓ１０５で選択された口座の取引明細データの取得要求をＩＢサーバー２０へ通信部１２０に送信させる（Ｓ１０６）。その後、ＩＢサーバー２０は、受信された取得要求で指定される口座の取引明細データを情報処理装置１０へ送信する（Ｓ１０７）。
【０１０５】
その後、表示制御部１０２は、Ｓ１０５で選択された口座の通帳画像に含まれる、例えば図４に示したような表紙画像を操作表示部１２２に表示させる（Ｓ１０８）。
【０１０６】
次に、図１５を参照して、Ｓ１０８より後の動作について説明する。図１５は、Ｓ１０８より後の動作を示したシーケンス図である。図１５に示したように、Ｓ１０８の後、操作表示部１２２に対してフリック操作がなされたことが操作認識部１０４により認識された場合には、表示制御部１０２は、表紙画像から、例えば図５に示したような見返し画像に切り替えて操作表示部１２２に表示させる（Ｓ１１１）。
【０１０７】
その後、操作表示部１２２に表示された見返し画像４２において、副印鑑の画像を確認するために、利用者は副印鑑確認ボタンを選択する（Ｓ１１２）。
【０１０８】
続いて、表示制御部１０２は、例えば図７に示したような副印鑑確認用認証情報入力画像を操作表示部１２２に表示させる（Ｓ１１３）。その後、副印鑑確認用認証情報入力画像において、利用者は、Ｓ１０５で選択された口座に対応づけて登録された、副印鑑確認用の認証情報を入力する。そして、認証部１０８は、認証ＤＢ１２６の登録内容に基いて、入力された認証情報を認証する（Ｓ１１４）。
【０１０９】
入力された認証情報が誤っていると判断された場合には（Ｓ１１４：Ｎｏ）、表示制御部１０２は、認証情報がエラーである旨を操作表示部１２２に表示させる（Ｓ１１５）。そして、情報処理装置１０は、再びＳ１１３の動作を行う。
【０１１０】
一方、入力された認証情報が正しいと判断された場合には（Ｓ１１４：Ｙｅｓ）、制御部１００は、Ｓ１０５で選択された口座に対応づけて登録されている副印鑑の画像の取得要求を印鑑サーバー２２へ通信部１２０に送信させる（Ｓ１１６）。その後、印鑑サーバー２２は、受信された取得要求で指定される口座番号に対応づけられた副印鑑の画像を情報処理装置１０へ送信する（Ｓ１１７）。
【０１１１】
その後、表示制御部１０２は、印鑑サーバー２２から受信された副印鑑の画像を、例えば図８に示したように、見返し画像に表示させる（Ｓ１１８）。
【０１１２】
［３−２−２．動作例２（「明細の閲覧」選択時の動作）］
以上、動作例１について説明した。次に、動作例２について、図１４を参照して説明する。詳細については後述するが、動作例２は、利用者が副印鑑一覧画像を表示させ、そして、取引明細の閲覧を希望する口座を副印鑑一覧画像において利用者が選択する場面における動作の例である。なお、図１４に示したＳ１０１〜Ｓ１０３の動作は、動作例１と同様である。
【０１１３】
Ｓ１０４において、動作例２では、利用者はメニュー画像において「副印鑑の確認ボタン」を選択する（Ｓ１０４：副印鑑の確認）。
【０１１４】
図１６は、Ｓ１０４において「副印鑑の確認ボタン」が選択された後の動作を示したシーケンス図である。図１６に示したように、まず、表示制御部１０２は、例えば図７に示したような副印鑑確認用認証情報入力画像を操作表示部１２２に表示させる（Ｓ２０１）。その後、副印鑑確認用認証情報入力画像において、利用者は、利用者の全ての口座に対応づけて登録された全ての副印鑑の画像を確認するための認証情報を入力する。そして、認証部１０８は、認証ＤＢ１２６の登録内容に基いて、入力された認証情報を認証する（Ｓ２０２）。
【０１１５】
入力された認証情報が誤っていると判断された場合には（Ｓ２０２：Ｎｏ）、表示制御部１０２は、認証情報がエラーである旨を操作表示部１２２に表示させる（Ｓ２０３）。そして、情報処理装置１０は、再びＳ２０１の動作を行う。
【０１１６】
一方、入力された認証情報が正しいと判断された場合には（Ｓ２０２：Ｙｅｓ）、制御部１００は、利用者の全ての口座に対応づけて登録された全ての副印鑑の画像を取得するための要求を印鑑サーバー２２へ通信部１２０に送信させる（Ｓ２０４）。その後、印鑑サーバー２２は、受信された取得要求で指定される全ての副印鑑の画像を情報処理装置１０へ送信する（Ｓ２０５）。
【０１１７】
その後、表示制御部１０２は、印鑑サーバー２２から受信された全ての副印鑑の画像を含む、例えば図１０に示したような、副印鑑一覧画像を操作表示部１２２に表示させる（Ｓ２０６）。そして、利用者は、副印鑑一覧画像において、閲覧を希望する口座をタッチ操作により選択する（Ｓ２０７）。
【０１１８】
続いて、制御部１００は、Ｓ２０７で選択された口座の取引明細データの取得要求をＩＢサーバー２０へ通信部１２０に送信させる（Ｓ２０８）。その後、ＩＢサーバー２０は、受信された取得要求で指定される口座の取引明細データを情報処理装置１０へ送信する（Ｓ２０９）。
【０１１９】
その後、表示制御部１０２は、Ｓ２０７で選択された口座の通帳画像を操作表示部１２２に表示させる（Ｓ２１０）。
【０１２０】
［３−２−３．変形例］
なお、変形例として、動作例１および動作例２を組み合わせた動作も適用可能である。例えば、動作例２において、情報処理装置１０は、Ｓ２１０の代わりに、動作例１におけるＳ１０８〜Ｓ１１８の動作を行ってもよい。
【０１２１】
＜３−３．効果＞
［３−３−１．効果１］
以上、例えば図３、および図１４〜図１６等を参照して説明したように、情報処理装置１０は、利用者の口座に対応づけて登録されている副印鑑の画像を取得し、そして、利用者により入力される、副印鑑の画像を確認するための認証情報が認証された場合には、取得された副印鑑の画像を、利用者の口座の通帳画像に含まれる見返し画像において表示させる。このため、口座に対応づけて登録されている副印鑑の画像を利用者が秘匿性高く確認することができる。例えば、仮に悪意ある他者により情報処理装置１０を盗まれたとしても、当該他者に認証情報が知られない限り、副印鑑の画像が見られることを防止できる。また、仮に悪意ある他者により表示画面を覗き見されたとしても、利用者が認証情報を入力しなければ副印鑑の画像は表示されないので、副印鑑の画像が見られる恐れは小さい。
【０１２２】
また、利用者が自己の口座に対応づけて登録されている副印鑑を失念してしまった場合など、利用者自身が副印鑑の画像を確認したい場合において利用者は容易な操作により確認することができるという効果がある。そして、例えば口座からの現金引き出しや口座の解約時において、利用者が自己の印鑑を間違えることを防止でき、金融機関における業務の遅延も防止できる。
【０１２３】
また、情報処理装置１０は、従来の紙の通帳と同じように、口座の通帳画像を、表紙画像、見返し画像、取引明細画像の順に配置し、かつ、取得された副印鑑の画像を、見返しページ（見返し画像）に表示させる。また、情報処理装置１０は、表示画面に対して利用者によりタッチ操作が行われた場合に、例えば表紙画像から見返し画像へ表示を切り替えることが可能である。このため、利用者は、紙の通帳においてページをめくって副印鑑を確認する場合と同じ感覚で、表示画面において副印鑑の画像を確認することができる。例えば高齢者など、情報リテラシーがあまり高くない利用者であっても、操作に戸惑うことなく、副印鑑の画像を確認しやすい。
【０１２４】
［３−３−２．効果２］
また、情報処理装置１０は、取得された１以上の印鑑の画像を含む副印鑑一覧画像を表示画面に表示させ、そして、副印鑑一覧画像においていずれかの副印鑑の画像が利用者により選択された場合には、選択された画像に対応する口座の通帳画像を表示画面に表示させる。
【０１２５】
このため、例えば利用者の手元にある印鑑がいずれの口座に対応づけて登録されているかを利用者が失念してしまった場合に、利用者は、印鑑一覧画像を確認することにより、手元の印鑑に対応する口座を容易かつ即時に知ることができる。そして、顧客満足度の向上にもつながる。
【０１２６】
＜＜４．変形例＞＞
なお、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１２７】
＜４−１．変形例１＞
例えば上記の説明では、情報処理装置１０は、主に情報処理装置１０にダウンロードされる通帳アプリの起動時において、制御部１００に含まれる各構成要素の機能を実現する例について説明したが、本発明はかかる例に限定されない。変形例として、情報処理装置１０はサーバ装置であり、そして、情報処理装置１０は、制御部１００に含まれる各構成要素の機能を例えばＷｅｂシステムとして実現してもよい。
【０１２８】
より具体的に説明すると、情報処理装置１０は、利用者が使用する、例えばスマートフォンなどの情報処理端末（以下、情報処理端末９０と称する）から、情報処理端末９０上での利用者の操作情報を受信することが可能である。そして、情報処理装置１０は、情報処理端末９０から受信された利用者の操作情報に基づいて、例えば口座の通帳画像や印鑑一覧画像を情報処理端末９０の表示画面に表示させるなど、上述した表示制御部１０２の機能を実現することが可能である。
【０１２９】
また、情報処理装置１０は、情報処理端末９０から受信される認証情報を、例えば情報処理装置１０に記憶された認証ＤＢ１２６の登録内容と比較することにより、上述した認証部１０８の機能を実現することが可能である。
【０１３０】
＜４−２．変形例２＞
また、本発明の実施形態によれば、ＣＰＵ１５０、ＲＯＭ１５２、およびＲＡＭ１５４などのハードウェアを、上述した情報処理装置１０の各構成と同等の機能を発揮させるためのコンピュータプログラムも提供可能である。また、該コンピュータプログラムが記録された記録媒体も提供される。
【符号の説明】
【０１３１】
１０  情報処理装置
１２  通信網
１４  専用網
２０  ＩＢサーバー
２２  印鑑サーバー
２６  ホストコンピュータ
３０  中継サーバー
１００  制御部
１０２  表示制御部
１０４  操作認識部
１０６  口座特定部
１０８  認証部
１２０  通信部
１２２  操作表示部
１２４  記憶部
１２６  認証ＤＢ
１５０  ＣＰＵ
１５２  ＲＯＭ
１５４  ＲＡＭ
１５６  内部バス
１５８  入出力インターフェース
１６０  入力装置
１６２  出力装置
１６４  ＨＤＤ
１６６  ネットワークインターフェース
【図１】
2015094963.tif 000003
【図２】
2015094963.tif 000004
【図３】
2015094963.tif 000005
【図４】
2015094963.tif 000006
【図５】
2015094963.tif 000007
【図６】
2015094963.tif 000008
【図７】
2015094963.tif 000009
【図８】
2015094963.tif 000010
【図９】
2015094963.tif 000011
【図１０】
2015094963.tif 000012
【図１１】
2015094963.tif 000013
【図１２】
2015094963.tif 000014
【図１３】
2015094963.tif 000015
【図１４】
2015094963.tif 000016
【図１５】
2015094963.tif 000017
【図１６】
2015094963.tif 000018